(57)【要約】【課題】洗いやすく、ハチミツ等の液垂れを切りやすいシンプルな構造の食器具を提供する。【解決手段】スプーン１００は、柄１０と、収容部２０とを備える。収容部２０は、食物等を収容させる部分であり、曲面凹形状をしている。収容部２０の上端面２１から、収容部２０の上端面２１の垂線と最下端部２２が交わる点までを結んだ直線Ｂの長さＤは、収容部２０の上端面２１の柄と結合する位置２３から、収容部２０の上端面２１の中心２４を通って収容部２０の上端面２１の先端に相当する先端縁２５まで伸びる直線Ａの長さＬの概ね２０％以上の長さである必要がある。また、収容部２０の上端面２１において上記直線Ａと直交する直線の最長の長さは、直線Ａの長さよりも短い必要がある。【選択図】      図１
2011234854.tif 000002
【特許請求の範囲】
【請求項１】
柄の一端に曲面凹形状の収容部を備えた食器具であって、
前記収容部の上端面から、前記収容部の上端面の垂線と前記収容部の最下端部が交わる点までを結んだ垂直線の長さは、前記収容部の上端面の柄と結合する位置から、前記収容部の上端面の中心を通って前記収容部の上端面の先端縁まで伸びる上端面直線の長さの略２０％以上の長さであり、
前記上端面直線と直交する方向の前記収容部の上端面の最長の長さは、前記上端面直線の長さよりも短いことを特徴とする食器具。
【請求項２】
前記収容部における凹部分は、前記柄の所定の位置まで連続して伸びていることを特徴とする請求項１に記載の食器具。
【発明の詳細な説明】
【技術分野】
【０００１】
本発明は、食物等を掬う食器具に関し、特に、ハチミツ等を掬う際に好適な食器具に関する。
【背景技術】
【０００２】
ビン等の容器に収容されたハチミツを掬う際に用いられる食器具として、ハニーディッパーと呼ばれる食器具が広く用いられている。このハニーディッパーとして、棒部材に円盤状の複数の部材を取り付けた態様のものがある。ハニーディッパーは、ハチミツを掬うということについては優れた食器具であるが、ハニーディッパーを洗う際に円盤状の複数の部材間の隙間を洗いにくいという問題点がある。
【０００３】
洗いやすいという点からすると、ビン等の容器に収容されたハチミツを掬う食器具として、通常のスプーンが優れている。しかしながら、通常のスプーンは、ハチミツを掬った際にスプーンの裏面から液垂れし、その液垂れを切りにくいという問題点がある。
【０００４】
以上のような問題点を解決するものとして、食物に接する金属製の先端部に筒状の金属製の柄部が連結されると共に、その柄部にヒートパイプが内設され、上記先端部に接する食物と上記柄部との熱交換により食物の温冷が行えるようにしたことを特徴とするスプーンが提案されている（例えば、特許文献１参照。）。このスプーンによれば、掬ったハチミツの温度が柄部のヒートパイプに伝達され、例えばハチミツが暖かいときは先端部で掬われたハチミツは速やかに冷えて粘度が高くなり、液垂れしにくくなる。一方、逆にハチミツが冷たいときは先端部で掬われたハチミツは速やかに温められて粘度が低くなり、液垂れしにくくなる。
【先行技術文献】
【特許文献】
【０００５】
【特許文献１】特開２００７−１３５９０７号公報
【発明の概要】
【発明が解決しようとする課題】
【０００６】
上述のヒートパイプを備えたスプーンでは、構造が複雑になり、製造コストも高くなる。洗いやすく、構造も複雑でないハチミツ等の液垂れを切りやすい食器具が望まれる。そこで、本発明は、洗いやすく、ハチミツ等の液垂れを切りやすいシンプルな構造の食器具を提供することを目的とする。
【課題を解決するための手段】
【０００７】
本発明は、上記課題を解決するためになされたものであり、本発明の食器具は、柄の一端に曲面凹形状の収容部を備えた食器具であって、上記収容部の上端面から、上記収容部の上端面の垂線と上記収容部の最下端部が交わる点までを結んだ垂直線の長さは、上記収容部の上端面の柄と結合する位置から、上記収容部の上端面の中心を通って上記収容部の上端面の先端縁まで伸びる上端面直線の長さの略２０％以上の長さであり、上記上端面直線と直交する方向の上記収容部の上端面の最長の長さは、上記上端面直線の長さよりも短いことを特徴とするものである。これにより、ハチミツ等を掬った際に生じるハチミツ等の液垂れを切りやすくさせるという作用をもたらす。
【０００８】
また、本発明の食器具において、上記収容部における凹部分は、上記柄の所定の位置まで連続して伸びていることを特徴とする。これにより、食器具を上方に向けても収容部に収容されたハチミツ等を食器具からこぼれさせないという作用をもたらす。
【発明の効果】
【０００９】
本発明によれば、洗いやすく、ハチミツ等を掬った際に生じるハチミツ等の液垂れを切りやすいという優れた効果を奏し得る。
【図面の簡単な説明】
【００１０】
【図１】本発明の実施の形態におけるスプーン１００を示す図である。
【図２】本発明の実施の形態におけるスプーン１００の使用例を示す図である。
【図３】本発明の別の実施の形態におけるスプーン２００を示す図である。
【発明を実施するための形態】
【００１１】
次に、本発明の実施の形態について図面を参照して詳細に説明する。以下において本発明の食器具を、スプーンに適用した場合について説明する。なお、本発明の食器具は、スプーンに限定されるものではなく、その他の食器具においても可能な限り適用することができる。
【００１２】
図１は、本発明の実施の形態におけるスプーン１００を示す図である。図１（ａ）は、スプーン１００の斜視図であり、図１（ｂ）は、スプーン１００の側面図である。スプーン１００は、柄１０と、収容部２０とを備える。柄１０は、スプーン１００の使用者がスプーン１００を使用する際に把持する部分である。
【００１３】
収容部２０は、食物等を収容させる部分であり、曲面凹形状をしている。曲面凹形状として、例えば、半球凹形状、半楕円体凹形状、曲面のみで構成されたボウル（ｂｏｗｌ）形状、その他これらに類似する凹形状が挙げられるが、これらに限るものではない。
【００１４】
また、収容部２０は、柄１０の一端１１に設けられている。なお、柄１０と収容部２０とは、一体形成される場合や、柄１０と収容部２０とを結合手段（例えば、ネジ及びナットによる結合）により結合させる場合等様々な結合態様が想定される。
【００１５】
また、本発明の実施の形態において収容部２０の上端面２１から、収容部２０の上端面２１の垂線と最下端部２２が交わる点までを結んだ直線Ｂ（図１（ｂ）においては、中心２４から最下端部２２までを結ぶ直線）の長さＤは、収容部２０の上端面２１の柄と結合する位置２３から、収容部２０の上端面２１の中心２４を通って収容部２０の上端面２１の先端に相当する先端縁２５まで伸びる直線Ａの長さＬの概ね２０％以上の長さである必要がある。すなわち、Ｄ≧０．２Ｌとなる。なお、収容部２０の上端面２１から、収容部２０の上端面２１の垂線と最下端部２２が交わる点までを結んだ直線Ｂの長さは、収容部２０の上端面２１から収容部２０の最下端部２２までの最短長に相当する。
【００１６】
また、本発明の実施の形態において収容部２０の上端面２１とは、上記直線Ａを含み、かつ収容部２０の両側面と直交する面に、収容部２０を垂直に投影してできる範囲の面である。図１（ａ）のような形状の収容部２０において上端面２１の形状は、例えば概ね楕円形状になる。また、図１（ａ）のような形状の収容部２０において上記説明した上端面２１の先端縁２５は、スプーン１００の先端部になる。
【００１７】
さらに、収容部２０の上端面２１において上記直線Ａと直交する直線の最長の長さは、直線Ａの長さよりも短い必要がある。図１（ａ）の場合、収容部２０の上端面２１の形状は長辺が直線Ａの楕円形状となる。この場合、直線Ａと直交する直線のうち最長のものは短辺となる。短辺が長辺よりも短いのが楕円であるため、図１（ａ）の収容部２０は上記条件を満たしている。収容部２０が図１（ａ）の態様と相違しても以上の条件を満たすように収容部２０は形成される。
【００１８】
図２は、本発明の実施の形態におけるスプーン１００の使用例を示す図である。スプーン１００は、粘性の高い液体、例えばハチミツを掬う際に用いる。図２（ａ）に示すように、ビン等の容器に収容されたハチミツをスプーン１００で掬って、収容部２０にハチミツを収容させる。この際、収容部２０の裏側面２６にも多量のハチミツが付着するため、収容部２０の裏側面２６からハチミツの液垂れが始まる。このままの状態で、スプーン１００を移動させると、上記ハチミツの液垂れにより、例えばテーブル等にハチミツがこぼれてしまう。
【００１９】
そこで、図２（ｂ）に示すように、スプーン１００の先端部２５ａを上方に向ける。すると、収容部２０に収容されたハチミツは、柄１０の方向へ移動する。また、スプーン１００の先端部２５ａを上方に向けると、鉛直方向を向く液垂れ部分３０と、収容部２０の裏側面２６との距離が段々と縮まり、収容部２０の裏側面２６において液垂れしている状態のハチミツは、ついには収容部２０の裏側面２６と接触して収容部２０の裏側面２６に付着する。それと同時に、もともと収容部２０の裏側面２６に付着していたハチミツは、収容部２０の裏側面２６に沿って柄１０の方向へ移動していく。
【００２０】
そして、図２（ｃ）に示すように、スプーン１００の先端部２５ａをさらに上方に向けると、全てのハチミツの液垂れ部分３０は、収容部２０の裏側面２６に接触する。なお、スプーン１００の先端部２５ａを上方に向ける度合いは、収容部２０に収容されたハチミツが収容部２０外に流出しない程度である。これにより、スプーン１００にはハチミツの液垂れ部分がなくなり、スプーン１００を移動させてもテーブル等にハチミツがこぼれない。
【００２１】
なお、本願出願人は、様々なスプーンを用いて図２（ａ）〜図２（ｃ）と同様のことを行った。その結果、図１で説明したような形態のスプーンが図２（ａ）〜図２（ｃ）のことを実現できることを確認した。すなわち、図２（ａ）〜図２（ｃ）のような動作は、ハチミツの液垂れ部分と収容部２０の裏側面２６との距離、並びに、収容部２０の収容量を適当に形成させることにより実現することができるが、これは図１において説明したような態様のスプーン１００により実現することができる。その他の形態のスプーンでは、うまく液垂れ部分を切ることができないことも本願出願人は確認した。
【００２２】
図３は、本発明の別の実施の形態におけるスプーン２００を示す図である。なお、図３（ａ）及び図３（ｃ）は、スプーン２００の斜視図であり、図３（ｂ）及び図３（ｄ）は、スプーン２００の側面図である。スプーン２００もスプーン１００と同様に、柄２１０と、収容部２２０とを備える。なお、スプーン１００において用いた名称と同様の名称を用いたスプーン２００における名称は、基本的に同様の機能を有し、その説明は既に図１及び図２で説明済みであるため、その説明を省略する。
【００２３】
一方、スプーン２００とスプーン１００との相違点は、柄２１０と収容部２２０との結合部分である。図３（ａ）及び図３（ｂ）において明らかなように、スプーン２００は、凹部が収容部２２０から柄２１０の所定の位置２３０まで連続して伸びている。すなわち、凹部が柄２１０の所定の位置２３０まで延長されており、柄２１０の一部が収容部の一部を成している。なお、図３（ａ）及び図３（ｂ）においてスプーン１００の収容部２０の上端面２１の柄と結合する位置２３に対応するスプーン２００における位置を位置２３１として示す。柄２１０の一部に収容部を形成させることにより、図２（ｃ）のようにスプーン２００を傾けても収容部に収容されたハチミツ等をこぼさせないということを実現することができる。
【００２４】
なお、柄２１０の一部により構成される収容部の一部は、図３（ａ）及び図３（ｂ）に示すような凹部の態様に限るものではなく、その他の態様であってもよい。柄２１０の一部により構成される収容部の一部の別の態様として、図３（ｃ）及び図３（ｄ）に示すように、位置２３１から柄２１０の内部に伸びる穴２３２であってもよい。
【００２５】
以上のように本発明の食器具によれば、ハチミツを掬った際に容易に液垂れを切ることができる。また、本発明の食器具は、従来品のハニーディッパーと違って洗いやすいという利点がある。また、凹部を柄の部分まで延長させることにより、収容部からハチミツ等がこぼれることを防止することができる。
【００２６】
なお、本発明の実施の形態は本発明を具現化するための一例を示したものであり、これに限定されるものではなく本発明の要旨を逸脱しない範囲において種々の変形を施すことができる。
【符号の説明】
【００２７】
１０、２１０  柄
１１  一端
２０、２２０  収容部
２１  上端面
２２  最下端部
２３  位置
２４  中心
２５  縁
２５ａ  先端部
２６  裏側面
１００、２００  スプーン
２３０、２３１  位置
２３２  穴
【図１】
2011234854.tif 000003
【図２】
2011234854.tif 000004
【図３】
2011234854.tif 000005